【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
溶媒または分散媒である水と、
粘土微粒子と、
放射線が照射されると水から電離して生成されるいずれかのラジカル、および該ラジカルが互いに結合して生成される分子である分子状ラジカル誘導物の双方と反応して価数を変化させることとなる原子またはイオンを含む記録物質前駆体と、
前記分子状ラジカル誘導物と同種の物質が残存することを妨げるラジカル誘導物阻害物質と
を含んで流動性を失っており、前記分子状ラジカル誘導物と同種の物質が残存していない、放射線線量測定用のゲル線量計。
【請求項２】
前記分子状ラジカル誘導物が酸素であり、
前記ラジカル誘導物阻害物質が酸素を含まない気体である、請求項１に記載のゲル線量計。
【請求項３】
前記ラジカル誘導物阻害物質は、アルゴンガス、窒素ガス、ヘリウムガスからなる群から選択される少なくとも１種の気体である、請求項２に記載のゲル線量計。
【請求項４】
前記ラジカル誘導物阻害物質が亜酸化窒素ガスである、請求項２に記載のゲル線量計。
【請求項５】
前記分子状ラジカル誘導物が酸素であり、
前記原子またはイオンは、前記ラジカルと前記分子状ラジカル誘導物との双方と反応して酸化されるものである、請求項１に記載のゲル線量計。
【請求項６】
前記記録物質前駆体がアンモニウム鉄（ＩＩ）および硫酸第一鉄（ＩＩ）の少なくともいずれかを含むものであり、
前記原子またはイオンが鉄（ＩＩ）イオンである、請求項１〜５のいずれか１項に記載のゲル線量計。
【請求項７】
湿潤状態にある前記粘土微粒子に対し前記原子またはイオンである鉄（ＩＩ）イオンが作用して溶液または分散液が流動性を失うことにより前記線量計の流動性が消失している、請求項６に記載のゲル線量計。
【請求項８】
前記粘土微粒子は、前記分子状ラジカル誘導物により前記記録物質前駆体に含まれる原子またはイオンが価数を変化させる前記反応を促進する作用を有するものである、請求項１〜７のいずれか１項に記載のゲル線量計。
【請求項９】
前記粘土微粒子が、水膨潤性合成ヘクトライト、水膨潤性スメクタイト、水膨潤性モンモリロナイト、水膨潤性サポナイト、および水膨潤性合成雲母からなる群から選択される少なくとも１種の粘土微粒子である、請求項１〜８のいずれか１項に記載のゲル線量計。
【請求項１０】
ゲル化するためのゲル化剤をさらに含む、請求項１〜９のいずれか１項に記載の放射線線量測定用のゲル線量計。
【請求項１１】
溶媒または分散媒である水と、粘土微粒子と、放射線が照射されると水から電離して生成されるいずれかのラジカル、および該ラジカルが互いに結合して生成される分子である分子状ラジカル誘導物の双方と反応して価数を変化させることとなる原子またはイオンを含む記録物質前駆体とを、互いに溶解または分散させることによってゲル線量計を形成する工程
を含み、該線量計を形成する工程は、該線量計の流動性を消失させる工程を放射線が照射される時点までに含んでおり、
形成されるべき前記ゲル線量計において前記分子状ラジカル誘導物と同種の物質を残存させなくする分子状ラジカル誘導物除去工程を、前記ゲル線量計が形成されるまでのいずれかの段階にさらに含んでおり、
前記分子状ラジカル誘導物除去工程が、流動性が消失する前のいずれかの段階において、減圧または加圧による置換脱気法、凍結置換脱気法、加熱置換脱気法のいずれかの脱気法により、前記溶媒または分散媒である水から酸素を除去する工程である、放射線線量測定用のゲル線量計の製造方法。
【請求項１２】
溶媒または分散媒である水と、粘土微粒子と、放射線が照射されると水から電離して生成されるいずれかのラジカル、および該ラジカルが互いに結合して生成される分子である分子状ラジカル誘導物の双方と反応して価数を変化させることとなる原子またはイオンを含む記録物質前駆体とを、互いに溶解または分散させることによってゲル線量計を形成する工程
を含み、該線量計を形成する工程は、該線量計の流動性を消失させる工程を放射線が照射される時点までに含んでおり、
形成されるべき前記ゲル線量計において前記分子状ラジカル誘導物と同種の物質を残存させなくする分子状ラジカル誘導物除去工程を、前記ゲル線量計が形成されるまでのいずれかの段階にさらに含んでおり、
前記分子状ラジカル誘導物除去工程が、形成されるべき前記ゲル線量計において前記分子状ラジカル誘導物と同種の物質が残存することを妨げるラジカル誘導物阻害物質を前記ゲル線量計の組成の少なくとも一部に対し混入する工程である、放射線線量測定用のゲル線量計の製造方法。
【請求項１３】
前記粘土微粒子が、膨潤しゲル化する作用または粘度を増大させる作用を示すものであり、
前記線量計の流動性を消失させる工程が、前記水と、前記粘土微粒子と、前記記録物質前駆体とを含む溶液または分散液を前記粘土微粒子によってゲル化するかその粘度を増大させる工程を含むものである、請求項１１または１２に記載のゲル線量計の製造方法。
【請求項１４】
前記分子状ラジカル誘導物が酸素であり、
前記原子またはイオンは、前記ラジカルと前記分子状ラジカル誘導物との双方と反応して酸化されるものである、請求項１１〜１３のいずれか１項に記載のゲル線量計の製造方法。
【請求項１５】
前記記録物質前駆体がアンモニウム鉄（ＩＩ）および硫酸第一鉄（ＩＩ）の少なくともいずれかを含むものであり、
前記原子またはイオンが鉄（ＩＩ）イオンである、請求項１１〜１４のいずれか１項に記載のゲル線量計の製造方法。
【請求項１６】
前記線量計の流動性を消失させる工程が、湿潤状態にある前記粘土微粒子に対し前記原子またはイオンである鉄（ＩＩ）イオンが作用して溶液または分散液が流動性を失う工程である、請求項１５に記載のゲル線量計の製造方法。
【請求項１７】
前記粘土微粒子が、水膨潤性合成ヘクトライト、水膨潤性スメクタイト、水膨潤性モンモリロナイト、水膨潤性サポナイト、および水膨潤性合成雲母からなる群から選択される少なくとも１種の粘土微粒子である、請求項１１〜１６のいずれか１項に記載のゲル線量計の製造方法。
【請求項１８】
前記粘土微粒子は、前記分子状ラジカル誘導物により前記記録物質前駆体に含まれる原子またはイオンが価数を変化させる前記反応を促進する作用を有するものである、請求項１１〜１６のいずれか１項に記載のゲル線量計の製造方法。
【請求項１９】
前記分子状ラジカル誘導物除去工程は、粘土微粒子を添加するより前のいずれかの段階で実行される、請求項１１〜１８のいずれか１項に記載のゲル線量計の製造方法。
【請求項２０】
前記線量計の流動性を消失させる工程が、前記水と、前記粘土微粒子と、前記記録物質前駆体とを含む溶液または分散液を、ゲル化剤によってゲル化する工程を含むものである、請求項１１〜１９のいずれか１項に記載のゲル線量計の製造方法。
【手続補正２】
【補正対象書類名】明細書
【補正対象項目名】００６０
【補正方法】変更
【補正の内容】
【００６０】
２−２−１．具体的構成１：フリッケ・ゲル線量計
本願の発明者らが実施形態１の有望な具体的構成と考えているものは、溶液の化学線量計として知られるフリッケ水溶液線量計の材質に粘土微粒子を添加し、さらにゲル化して作製するフリッケ・ゲル線量計である。
【手続補正３】
【補正対象書類名】明細書
【補正対象項目名】００６５
【補正方法】変更
【補正の内容】
【００６５】
実施形態１においてフリッケ・ゲル線量計におけるアンモニウム鉄（ＩＩ）以外の記録物質前駆体の例は、例えば硫酸第一鉄（ＩＩ）であり、その場合には、ＰＨ調整剤として、例えば硫酸が採用され、さらに例えば食塩（ＮａＣｌ）が適宜添加される。